(57)【要約】      （修正有）【課題】雪が大降りであっても、１〜２ｍの積雪状体であっても、吹き除いて屋根に積雪状体となるのを防止できる雪下ろし装置を提供する。【解決手段】屋根３に降り積もる雪を除去するために、屋根３に高圧空気を供給可能に配設した配管４にノズル５を所定間隔で配設し、上記ノズル５の側周面に周辺の空気を吸引する空気吸引孔を開孔してノズル５の先端口から高圧空気とともに噴出自在に形成している。配管４にノズル５をその高圧空気の噴出方向に複数個連結したことが好ましく、また配管４に給水パイプ１３を接続し、ノズル５から高圧空気とともに水または温水を噴出することが好ましい。【選択図】図１
0003197283.tif 000002
【実用新案登録請求の範囲】
【請求項１】
屋根に降り積もる雪を除去するために、屋根に高圧空気を供給可能に配設した配管にノズルを所定間隔で配設し、上記ノズルの側周面に周辺の空気を吸引する空気吸引孔を開孔してノズルの先端口から高圧空気とともに噴出自在に形成したことを特徴とする雪下ろし装置。
【請求項２】
配管にノズルをその高圧空気の噴出方向に複数個連結したことを特徴とする請求項１に記載の雪下ろし装置。
【請求項３】
配管に給水パイプを接続し、ノズルから高圧空気とともに水または温水を噴出自在に形成したことを特徴とする請求項１または２に記載の雪下ろし装置。
【請求項４】
屋根にその所定の区域ごとにノズルから高圧空気を噴出自在に、屋根にその所定の区域ごとに高圧空気を供給可能に配管を配設したことを特徴とする請求項１ないし３のいずれかに記載の雪下ろし装置。
【考案の詳細な説明】
【技術分野】
【０００１】
本考案は、公害防止分野における、雪下ろし装置に関するものである。
【背景技術】
【０００２】
積雪地方においては、一昼夜で屋根に１〜２ｍもの高さに雪が積もり、そのままにしておくと、雪の重みで家が歪んだり、潰れたりするおそれがある。そのため、積雪地方では、屋根に積もった雪を除くために雪下ろし作業は欠かせない。
【０００３】
そこで、従来から、屋根に電気ヒーターを配設して融雪したり、配管に温水を循環して降雪したりしている。
【０００４】
しかし、これらの装置による費用は高額で、屋根に高圧空気を吹き出すエアーパイプを設置し、屋根に降ってきた雪を吹き飛ばして除雪することが提案されている。
【先行技術文献】
【特許文献】
【０００５】
【特許文献１】実開平１−８６６４９８号公報
【特許文献２】実用新案登録第３０５８１６４号公報
【考案の開示】
【考案が解決しようとする課題】
【０００６】
しかし、上記した屋根にエアーパイプを設置して降ってきた雪を吹き飛ばす手段は、雪が小降りのときには除雪効果があるものの、大降りとなって一昼夜で屋根に１〜２ｍもの高さに積雪状態となる場合には全くといっていい程効果が挙がらないものであった。そのため、大降りや、１〜２ｍの積雪状態となる場合にも、有効に除雪できるようにすることが課題であった。
【課題を解決するための手段】
【０００７】
本考案は、上記のような点に鑑みたもので、上記の課題を解決するために、実用新案登録請求の範囲の請求項１のように、屋根に降り積もる雪を除去するために、屋根に高圧空気を供給可能に配設した配管にノズルを所定間隔で配設し、上記ノズルの側周面に周辺の空気を吸引する空気吸引孔を開孔してノズルの先端口から高圧空気とともに噴出自在に形成したことを特徴とする雪下ろし装置を提供するにある。
【０００８】
また、請求項２のように、配管にノズルをその高圧空気の噴出方向に複数個連結したことを特徴とする雪下ろし装置を提供するにある。
【０００９】
また、請求項３のように、配管に給水パイプを接続し、ノズルから高圧空気とともに水または温水を噴出自在に形成したことを特徴とする雪下ろし装置を提供するにある。
【００１０】
またさらに、請求項４のように、屋根にその所定の区域ごとにノズルから高圧空気を噴出自在に、屋根にその所定の区域ごとに高圧空気を供給可能に配管を配設したことを特徴とする雪下ろし装置を提供するにある。
【考案の効果】
【００１１】
本考案は、実用新案登録請求の範囲の請求項１のように、屋根に降り積もる雪を除去するために、屋根に高圧空気を供給可能に配設した配管にノズルを所定間隔で配設し、上記ノズルの側周面に周辺の空気を吸引する空気吸引孔を開孔してノズルの先端口から高圧空気とともに噴出自在に形成したことによって、屋根に配設する配管のノズルで高圧空気を噴出できるとともに、そのノズルの側周辺の空気を空気吸引孔から吸い込んでノズルの先端口から噴流状態となって空気流を噴出し、雪が大降りであっても、１〜２ｍの積雪状態であっても、吹き除いて屋根に積雪状態となるのを防止できる。
また、装置、設備としては、高圧コンプレッサー、制御装置、配管、ノズル等なので、比較的安価で、ランニングコストも少なくて除雪効果を挙げられる。
【００１２】
また、請求項２のように、配管にノズルをその高圧空気の噴出方向に複数個連結したことによって、複数個連結したノズルの側周辺の空気を空気吸引孔からそれぞれ吸い込んでノズルの最先端口から噴流状態となってさらに一層空気流を噴出できて、雪が大降りであっても、１〜２ｍの積雪状態であっても、さらに吹き除いて屋根に積雪状態となるのを防止できる。
【００１３】
また、請求項３のように、配管に給水パイプを接続し、ノズルから高圧空気とともに水または温水を噴出自在に形成したことによって、ノズルから高圧空気とともに水または温水を噴出できて、噴射力を強められて、一層屋根に積雪状態となるのを防止できる。また、必要により、上記ノズルを利用して、夏期等に屋根に散水して涼しくするようにできる。
【００１４】
また、請求項４のように、屋根にその所定の区域ごとにノズルから高圧空気を噴出自在に、屋根にその所定の区域ごとに高圧空気を供給可能に配管を配設したことによって、屋根の所定の区域ごとに上記したように各ノズルから高圧空気を噴出して、屋根にその所定の区域ごとに雪を吹き除いて、順次屋根全体にわたって雪を吹き除いて、積雪状態となるのを有効に防止できる。
【図面の簡単な説明】
【００１５】
【図１】本考案の一実施例の概要側面図、
【図２】同上の概要正面図、
【図３】同上のノズル部の側断面図（ａ）と正面図（ｂ）、
【図４】同上の他の実施例のノズルを連結した状態の正面図、
【図５】同上のさらに他の実施例のノズルに扇状の拡大ノズルを装着した平面図（ａ）と正面図（ｂ）、
【図６】同上のさらに他の実施例の屋根の天辺に垂直状に配管してノズルを設けた概要正面図。
【考案を実施するための形態】
【００１６】
本考案の雪下ろし装置は、屋根に降り積もる雪を除去するために、屋根に高圧空気を供給可能に配設した配管にノズルを所定間隔で配設し、上記ノズルの側周面に周辺の空気を吸引する空気吸引孔を開孔してノズルの先端口から高圧空気とともに噴出自在に形成したことを特徴としている。
【００１７】
雪下ろし装置１は、図１、図２のように家屋２の屋根３に所定の間隔で配管し、この配管４に図１、図２のようにノズル５をそれぞれ１〜３ｍ位の一定の間隔で接続して降雪可能としている。
【００１８】
上記配管４は、屋根３の上部から下部にわたって１〜３ｍの区域ごとに天辺に対して平行状に配設し、その配管４には図１、図２のように家屋２の下方に設置した家庭用、工業用の５〜１０Ｋｇ／ｃｍ2 の高圧圧縮のコンプレッサー６の吐出管７にそれぞれ自動開閉等の開閉弁８をそれぞれ配管接続して、所要の開閉弁８を開閉することで、屋根３の上部または下部から下部または上部に区域ごとに順次、ノズル５から高圧空気を噴出して効果的に雪下ろしをできるようにしている。
【００１９】
上記ノズル５は、図３（ａ）、（ｂ）のようにその側周面にインゼクター様に所定の大きさの舟形状（胴部）にへこませて空気吸引孔９を軸対称状に流線形状に開孔し、これらの空気吸引孔９から側周辺部の空気を円滑に均一状に吸い込んで、ノズル５の先端口１０から勢いよく大量の空気を噴流状態となって噴出できるようにしている。
【００２０】
上記ノズル５は、両側にねじを設けて、図４のように２個等の複数個を配管１１を介して接続可能とし、それぞれのノズル５の側周面の空気吸引孔９からそれぞれ側周辺部の空気を均一状に吸い込んで、ノズル５の先端口１０から勢いよく大量の空気を噴流状態となって、噴出できるようにしている。
【００２１】
この連結したノズル５の空気吸引孔９の大きさは、前方側が小さく、後方側を大きくして、ノズル５の側周辺からの空気の吸引量をバランスよくして先端口１０から噴出できるようにすることが好ましい。
【００２２】
また、上記ノズル５には、図５（ａ）、（ｂ）のように先端側に向かって拡がった扁平状の拡大ノズル１２を接続し、ノズル５の先端口１０からの空気を扇状に均一状に拡大して雪下ろしするようにできる。
【００２３】
上記ノズル５は、図１、図２のように屋根３に上方に向けて垂直状に配設できるが、水平な角度から屋根面の傾斜面に平行な俯角状に配管４に配設することが好ましく、こうすることによって屋根３に積もった雪を効率的に屋根面にそって滑らせて除雪することができる。
【００２４】
このように形成した配管４には、図１、図２のように水道水や湯水等の給水管１３を注入または吸入可能にそれぞれ接続し、ノズル５から高圧空気とともに水や湯を噴出して除雪することが好ましい。
【００２５】
給水管１３は、凍結予防の保温材を被覆でき、できるだけ配管４のノズル５の装着側に近づけて、高圧空気の配管４に沿うようにして接続し、できるだけ水や湯を多く噴出するようにすることが除雪効果を発揮することができて好ましい。
【００２６】
なお、必要により、配管４、給水管１３、ノズル５を利用して、夏期等に屋根に散水して涼しくするようにできる。
【００２７】
上記では、屋根３の天辺に平行状に配管して天辺に平行状に並べたノズル５から高圧空気を噴出して除雪するようにしたが、図６のように屋根３の天辺に垂直状に配管して天辺に垂直状に並べたノズル５から高圧空気または／および水若しくは湯を噴出して除雪することもでき、またその降雪状態や積雪状態でノズル５から高圧空気または／および水または湯を噴出して除雪でき、その運転は手動や、タイマーや降雪量、積雪量をセンサー等で検出してコンプレッサー７、開閉弁８を自動的に運転、制御して降雪するなど、本考の上記した趣旨にもとづいて適宜の変形態様を採択できるものである。
【実施例】
【００２８】
図１以下は、本考案の実施例を示すものである。雪下ろし装置１は、図１、図２のように家屋２の屋根３に所定の間隔で屋根３の傾斜面に天辺に平行状に２ｍ位の間隔で水道管の３０ｍｍ口径のパイプを配管するとともに水道管等の給水管１３を接続し、この配管４に図１、図２のようにノズル５をそれぞれ１ｍの間隔で水平状に接続して降雪可能としている。
【００２９】
また、配管４は、屋根３の上部から下部に２ｍの区域ごとに平行状に配設し、図１、図２のように家屋２の下方に設置した家庭用の小型の７Ｋｇ／ｃｍ2 の高圧圧縮のコンプレッサー６の吐出管７にそれぞれ自動開閉の開閉弁８をそれぞれ接続し、所要の開閉弁８を開閉することで、屋根３の下部から上部の区域ごとに、順次ノズル５から高圧空気と水を噴出して雪下ろしできるようにしている。
【００３０】
上記ノズル５は、図３（ａ）、（ｂ）のようにその側周面にインゼクター様に空気吸引孔９を軸対称状に舟形状にへこませて開孔し、これらの空気吸引孔９から側周辺部の空気を均一状に吸い込んで、ノズル５の先端口１０から勢いよく大量の空気を噴流状態となって噴出できるようにしている。
【００３１】
このように、屋根３に配設した配管４のノズル５で、そのノズル５の側周辺の空気を空気吸引孔９から吸い込んでノズル５の先端口１０から噴流状態となって大量の空気流を噴出できるため、雪が大降りであっても、１〜２ｍの積雪状態であっても、吹き除いて屋根に積雪状態となるのを防止できる。また、装置、設備として、コンプレッサー、制御装置、配管、ノズル等なので、比較的安価で、ランニングコストも少なくて経済的に除雪することができる。
【００３２】
そしてまた、配管４にノズル５を水平な角度に配設したことによって、屋根３に積もった雪を効率的に屋根面にそって滑らせて除雪することができる。
【００３３】
また、屋根２に、その所定の区域ごとにノズル５から高圧空気と水を噴出できるため、その所定の区域ごとに雪を吹き除いて、順次屋根３全体にわたって雪を吹き除いて、積雪状態となるのを防止できる。たとえば、屋根３の下部から上部の区域ごとに、順次ノズル５から高圧空気と水を噴出して雪下ろしすると、下部側の雪を先に除雪できて、上部側の雪を屋根面にそって滑らせて効率よく除雪することができる。
【００３４】
また、ノズル５は、図４のように２個を配管１１を介して接続すると、それぞれのノズル５の側周面の空気吸引孔９からそれぞれ側周辺部の空気を均一状に吸い込んで、ノズル５の先端口１０から勢いよく大量の空気を噴流状態となって噴出でき、より一層に吹き除いて屋根の除雪作業ができる。
【００３５】
また、上記ノズル５には、図５（ａ）、（ｂ）のように先端側に向かって拡がった扁平状の拡大ノズル１２を接続すのと、ノズル５の先端口１０からの空気を扇状に均一状に拡大して雪下ろしができる。
【００３６】
図６は、本考案の他の実施例を示すもので、屋根３の天辺に垂直状に配管４を設置してノズル５を装着し、天辺に垂直状に並べた配管４のノズル５から高圧空気と水を噴出して除雪するようにしたものである。
【００３７】
本実施例では、屋根３の天辺に垂直状に配設したそれぞれの区域の配管４から、その区域ごとにノズル５から高圧空気と水を噴出し、屋根３の天辺に垂直状に上部から下部の雪を屋根面にそって一気に滑らせて除雪することができ、屋根３全体にわたって雪を吹き除いて、除雪することができる。
【００３８】
上記では、降雪状態や積雪状態でノズル５から高圧空気または／および水若しくは湯を噴出して除雪できるものであり、その運転は手動でできる他、タイマーや、降雪量、積雪量をセンサー等で検出してコンプレッサー７、開閉弁８を自動的に運転、制御することができる。
【産業上の利用可能性】
【００３９】
本考案は、積雪地方の雪下ろし用に広く利用することができる。
【符号の説明】
【００４０】
１…雪下ろし装置        ３…屋根        ４…配管          ５…ノズル
６…コンプレッサー      ７…開閉弁      ９…空気吸引孔  １０…先端口
１３…給水管
【図１】
0003197283.tif 000003
【図２】
0003197283.tif 000004
【図３】
0003197283.tif 000005
【図４】
0003197283.tif 000006
【図５】
0003197283.tif 000007
【図６】
0003197283.tif 000008